(57)【特許請求の範囲】
【請求項１】
内燃機関用燃料噴射装置に用いる調整可能な絞り弁であって、
前記絞り弁は、前記噴射装置の中空本体に取り付けられ、電磁石の電機子により制御され、
前記電機子の前記電磁石に向けての移動は、前記中空本体に取り付けられた阻止部材によって阻止され、
前記阻止部材は、前記中空本体のねじ部に、調整された締め付けトルクでねじ部材を螺合することにより取り付けられ、前記締め付けトルクにより、前記電機子の前記電磁石に向けての移動量を調整することができ、
前記ねじ部は、前記中空本体の外面に設けられ、
前記ねじ部材は、前記中空本体の外側から操作され、前記電磁石を前記中空本体に固定する固定用部材により、前記阻止部材に作用することを特徴とする絞り弁。
【請求項２】
前記絞り弁の弁本体は、リングナットにより前記中空本体に取り付けられ、
前記阻止部材は、前記電機子を案内するための案内部材に保持され、
前記案内部材は、前記中空本体の肩部に作用するフランジを備え、
前記ねじ部材は、前記固定部材に作用する他のリングナットにより形成されることを特徴とする請求項１に記載の絞り弁。
【請求項３】
前記電磁石は、環状のコアを備え、
前記固定部材は、前記電磁石のスカートにより形成され、
前記スカートは、前記コアを支持する肩部を有することを特徴とする請求項２に記載の絞り弁。
【請求項４】
前記電機子は、前記コアと磁気的に協働するディスクを備え、
前記ディスクは、前記案内部材のスリーブの内側で摺動するステムに接続され、
前記阻止部材は、前記スリーブの端部により形成され、前記ステムの肩部を係止することを特徴とする請求項３に記載の絞り弁。
【請求項５】
前記フランジは、挿入されたスペーサワッシャーを介して前記中空本体の前記肩部に対して押圧され、
前記スペーサワッシャーの厚みは、モジュール化された多くの厚みから選択可能であり、前記移動量を予め調整することができることを特徴とする請求項２から４のいずれかに記載の絞り弁。
【請求項６】
前記スペーサワッシャーは、弾性材料から形成され、
前記締め付けトルクにより、前記スペーサワッシャーは、押圧されて弾性変形することを特徴とする請求項５に記載の絞り弁。
【請求項７】
前記スペーサワッシャーは、硬質材料から形成され、前記スカートの内径より小さい外径を有し、
前記スカートは、前記フランジの環状突出部に作用し、前記締め付けトルクにより、前記環状突出部は、弾性変形して曲がることを特徴とする請求項５に記載の絞り弁。
【発明の詳細な説明】
【０００１】
【発明の属する技術分野】
本発明は、内燃機関用の燃料噴射装置に用いる調整可能な絞り弁に関する。
【０００２】
【従来の技術】
絞り弁は、通常、電磁石の電機子によって制御され、噴射装置の本体に取り付けられている。電磁石のコアに向かう電機子の移動又は上昇は、噴射装置の供給量に影響する。一方、電機子とコアとの間の隙間は、電磁石が励磁されていないときの弁の応答に影響する。したがって、前記移動及び隙間は、精密に調整されなければならない。
【０００３】
移動阻止用のフランジを有するスリーブによって案内されるステムに電機子が接続された種々の絞り弁が知られている。電機子の移動量は、スリーブの端部に係合する前記フランジによって規定される。既知の絞り弁において、スリーブは、挿入されたシムを介して噴射装置の内部に取り付けられている。また、電磁石は、挿入された第２のシムを介し、スカートによって噴射装置に取り付けられている。他の既知の絞り弁において、案内用スリーブのフランジは、挿入された２つのシムを介し、スリーブの肩部と電磁石のスカートの端部との間に取り付けられている。
【０００４】
また、スリーブが噴射装置本体の雌ねじに直接螺合するねじ部材を備える噴射装置が提案されている。この噴射装置においては、ねじ部材の締め付けトルクを調整することにより、電機子の移動量を調整する。
【０００５】
【発明が解決しようとする課題】
前述した従来の絞り弁のいずれの場合においても、２つのシムは、モジュール化された厚みを有する調整された多くのシムから選択される。前記モジュール化された厚みは、極めて小さな量だけ異なる。この量は、既知のように、技術的な理由から、必然的に伴われる機械的公差、例えば５μｍ未満とすることはできない。しかしながら、５μｍの公差は、電機子の移動量において極めて粗い調整を意味する。したがって、噴射装置による供給を、近年の、特に高動力の内燃機関に必要とされる厳密な制限範囲に維持することがしばしば不可能であるという問題がある。
【０００６】
また、前述した従来の噴射装置は、噴射装置自体の分解不可能な部分を含むという問題がある。
【０００７】
本発明は、上記従来技術の問題点を解決するべくなされたもので、既知のシムと比較し、極めて簡易な方法で、電機子の移動量をより精密に調整し得る、調整可能な絞り弁を提供することを目的とする。
【０００８】
【課題を解決するための手段】
上記目的を達成するべく、本発明は、内燃機関用燃料噴射装置に用いる調整可能な絞り弁であって、前記絞り弁は、前記噴射装置の中空本体に取り付けられ、電磁石の電機子により制御され、前記電機子の前記電磁石に向けての移動は、前記中空本体に取り付けられた阻止部材によって阻止され、前記阻止部材は、前記中空本体のねじ部に、調整された締め付けトルクでねじ部材を螺合することにより取り付けられ、前記締め付けトルクにより、前記電機子の前記電磁石に向けての移動量を調整することができ、前記ねじ部は、前記中空本体の外面に設けられ、前記ねじ部材は、前記中空本体の外側から操作されることを特徴とする絞り弁を提供する。
【０００９】
【発明の実施の形態】
以下、添付図面を参照しつつ、本発明の好ましい実施形態について説明する。図１における符号１１は、例えば、内燃機関に使用される燃料噴射装置の全体を示す。噴射装置１１は、中空本体１２を備えている。中空本体１２は、１つ又はそれより多くの噴出口を備える底部で終端するノズル（図示せず）を支持している。制御ロッド１０は、前記噴出口を閉鎖するピンに接続されており、中空本体１２内で摺動する。中空本体１２は、突起部１３と、実質的に円筒形状の空洞部１７とを備えている。突起部１３内には、通常の燃料供給ポンプに接続された入口継手１６が挿入されている。空洞部１７は、ねじ部１８と肩部１９とを有する。
【００１０】
噴射装置１１は、さらに、符号２４で全体を示す調整可能な絞り弁を備えている。絞り弁２４は、空洞部１７内に取り付けられ、電機子２７を制御する電磁石２６によって制御される。電磁石２６は、環状の磁気コア２８を備えている。環状の磁気コア２８は、通常の電気コイル２９を収容し、燃料タンクに接続された排出継手３２と同軸の中央孔３１を有する。
【００１１】
絞り弁２４は、フランジ３４を有する円筒形状の弁本体３３を備えている。フランジ３４は、通常、空洞部１７のねじ部１８に螺合する雄ねじが形成されたリングナット３６によって、空洞部１７の肩部１９に係合した状態を維持している。電機子２７は、スリーブ４９と一体となったディスク３７を実質上備える。絞り弁２４の弁本体３３は、空洞部１７に連通する排出導管４３を有する制御チャンバ４１を備えている。弁本体３３は、制御チャンバ４１に隣接する軸孔４０をさらに備え、制御ロッド１０が、軸孔４０内で摺動する。また、弁本体３３は、入口導管４２を備えている。入口導管４２は、中空本体１２内の導管４４を経て入口継手１６に連通している。
【００１２】
燃料圧は、通常、噴射装置１１のノズルのオリフィスを閉鎖する降下位置に制御ロッド１０を保持する。制御チャンバ４１の排出導管４３は、通常、ボール４６によって閉鎖されている。ボール４６は、排出導管４３に隣接する面によって形成される円錐形のシート部に支持されている。ボール４６は、案内プレート４７によって案内されている。案内プレート４７は、スリーブ４９の内側に挿入された円筒形状のステム４８のフランジ４５によって作動する。ステム４８は、電機子２７の肩部５１と協働するＣ字形のリング５０が挿入される溝を有する。したがって、電機子２７は、ステム４８から切り離される。ステム４８は、中央孔３１内に所定の長さだけ延び、小径部５２で終端している。小径部５２は、中央孔３１内に取り付けられた圧縮ばね５３を支持し、固定している。
【００１３】
絞り弁２４は、符号６６によって全体を示された案内部材を備え、案内部材６６は、スリーブ６７を備える。電機子２７のステム４８は、スリーブ６７内を摺動する。絞り弁２４は、電機子２７の移動を阻止する部材をさらに備えている。前記部材は、スリーブ６７の底部７１によって形成されている。底部７１により、ステム４８のフランジ４５によって形成される肩部が係止される。案内部材６６は、フランジ７３をさらに備えている。フランジ７３は、排出導管４３を排出継手３２に接続する孔７５を有する。電機子２７のディスク３７及びフランジ７３の間に、ばね８０が設置され、ばね５３の方がばね８０より付勢力が大きい。
【００１４】
フランジ７３は、調整されたスペーサワッシャー（又はシム）７６を挿入することにより、中空本体１２の他の肩部７４に係合している。スペーサワッシャー７６は、モジュール化された一群のシムから選択可能である。既知のように、技術的な理由により、一群のシムの中でシムは、少なくとも５μｍだけ異なる。従って、電機子２７の移動量をおよそ５μｍの精度で予め調整することができる。
【００１５】
電磁石２６の磁気コア２８は、符号９０で全体を示されたスカート内に取り付けられている。スカート９０は、非磁性材料で形成され、内面肩部９１を有する。スカート９０は、排出継手３２と一体となったディスク９３上にエッジ９２をクランプすることにより排出継手３２に取り付けられている。したがって、磁気コア２８は、内面肩部９１とディスク９３との間に固定される。
【００１６】
スカート９０は、外面肩部９４をさらに備える。外面肩部９４には、リングナット９６により形成されたねじ部材の内側突起部９５が係合する。リングナット９６は、中空本体１２の外側から操作され、中空本体１２の雄ねじ６４に螺合する。スカート９０の底部９７と案内部材６６のフランジ７３との間には、シム又はスペーサ９８が設置されている。シム又はスペーサ９８は、ディスク３７と磁気コア２８との間の隙間を形成する。
【００１７】
図１及び図２に示す実施形態において、スペーサワッシャー７６は、スカート９０の底部９７及びスペーサ９８と軸方向に一直線上に配置されている。スペーサワッシャー７６は、弾性材料、例えば、金属処理された硬質ゴム（metal-treated rigid rubber）、アルミニウムのような軽金属又はテフロン（登録商標）のようなプラスチック材料から形成されている。
【００１８】
リングナット９６の締め付けトルクにより、フランジ７３は、スペーサワッシャー７６を押圧して弾性変形させ、スリーブ６７の底部７１を下方に移動させる。
【００１９】
この移動は、電機子２７の移動量を低減し、所定の範囲内において、締め付けトルクに実質的に比例する。
【００２０】
スペーサワッシャー７６の表面積及び厚み並びにリングナット９６の直径は、締め付けトルクの所定の変化に応じて、底部７１の所定の変位、例えば、１μｍの変位が得られるように寸法決めすればよい。したがって、リングナット９６の締め付けトルクの調整により、電機子２７の移動量を、略１μｍの精度で微細に調整することができる。好ましくは、前記厚み及び直径は、締め付けトルクの１Ｎ・ｍの変化に応じて１μｍの変位が得られるように寸法決めされる。
【００２１】
図３に示す実施形態において、フランジ７３と肩部７４との間に、硬質金属から形成されたスペーサワッシャー１００が設置されている。スペーサワッシャー１００の外径は、スペーサ９８及びスカート９０の底部９７の内径より小さいか又は等しくされているため、底部９７は、フランジ７３の環状突出部１０１に作用する。
【００２２】
雄ねじ６４におけるリングナット９６の締め付けトルクにより、フランジ７３の環状突出部１０１は、弾性変形して曲がり、スリーブの底部７１に上方への所定の変位を与える。したがって、電機子２７の移動量は増加し、この場合、前記移動量は、トルクの変化に反比例する所定の範囲内に制限される。
【００２３】
フランジ７３の環状突出部１０１の幅及び厚みは、締め付けトルクの１Ｎ・ｍの所定の変化に応じて、底部７１の所定の変位、例えば、１μｍの変位が得られるように寸法決めされる。したがって、この場合も、リングナット９６の雄ねじ６４における締め付けトルクの調整により、電機子２７の移動量を微細に調整することができる。
【００２４】
従来の絞り弁と比較した本発明に係る調整可能な絞り弁の利点は、以上の記載から明らかであろう。特に、微調整を、従来技術よりも極めて良い精度で成し得るという利点を有する。また、前記微調整は、単にリングナット９６の締め付けトルクを調整するだけで成し得、該トルクの調整は、噴射装置の外側から行うことができる。さらに、前記微調整は、噴射装置を修理又は手入れする際にすればよい。
【００２５】
なお、本発明は、以上に述べた実施形態に限られるものでなく、種々の変更を施すことができる。例えば、図２に示すフランジ７３を弾性変形させて圧縮可能な材料から形成してもよい。また、締め付けトルクを、供給量を測定する測定部と該供給量の測定値に応じて締め付けトルクを修正する修正部とを有する自動装置により与えてもよい。
【図面の簡単な説明】
【図１】図１は、本発明に係る調整可能な絞り弁を組み込んだ燃料噴射装置を部分的に断面で表した図である。
【図２】図２は、図１に示す絞り弁を部分的に拡大した図である。
【図３】図３は、図２に対応する本発明の他の実施形態を表す図である。
【符号の説明】
１１  噴射装置
１２  中空本体
２４  絞り弁
２６  電磁石
２７  電機子
６４  雄ねじ
７１  底部
９６  リングナット
【図１】
0004247506.tif 000002
【図２】
0004247506.tif 000003
【図３】
0004247506.tif 000004